(57)【要約】【課題】  通信ネットワークを使用して、事業化の可否に対する。信頼できる公衆の判断に関するデータを集めることを基本とした事業実施の決定方法を提供する。【解決手段】  配信手段５は、事業計画記憶手段２中に記憶された事業計画案と、その事業に関連する理解度テスト、及びくじの条件を通信ネットワーク７に配信する。くじの購入希望者は、くじの購入希望と理解度テストの解答を送信する。くじ購入決定手段３は、受信した理解度テストの解答が合格条件にかなっている場合に、くじの購入を認める。事業計画記憶手段２中に記憶されたくじの販売期間が経過すると、事業実施決定手段４が、くじの販売状況と、事業計画記憶手段２中に記憶された事業の実施決定条件に従って、事業を実施するかどうかを決定する。【選択図】  図１
2006127340.tif 000002
【特許請求の範囲】
【請求項１】
以下のステップを有してなる事業実施の決定方法。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの購入者の数に基づいて、前記事業を実施するか否かを決定するステップ。
(d) 前記事業を実施することを決定し、前記事業が実施された場合にのみ、前記懸賞の授与条件に従って、前記くじの購入者に前記懸賞を授与するステップ。
【請求項２】
以下のステップを有してなる事業実施の決定方法。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
(d) 前記くじの転売価格と転売総数の少なくとも一方に基づいて、前記事業を実施するか否かを決定するステップ。
(e) 前記事業を実施することを決定し、前記事業が実施された場合にのみ、前記懸賞の授与条件に従って、前記くじの購入者に前記懸賞を授与するステップ。
【請求項３】
以下のステップを有してなる事業実施の決定方法。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
(d) 前記くじの転売価格と転売総数の少なくとも一方と、前記くじの初期購入者の数に基づいて、前記事業を実施するか否かを決定するステップ。
(e) 前記事業を実施することを決定し、前記事業が実施された場合にのみ、前記懸賞の授与条件に従って、前記くじの購入者に前記懸賞を授与するステップ。
【請求項４】
請求項１から請求項３のうちいずれか１項に記載の事業実施の決定方法であって、くじの購入希望を、理解度テストの解答と共に受け付けるステップが、通信ネットワークを介して行われることを特徴とする事業実施の決定方法。
【請求項５】
請求項１から請求項４のうちいずれか１項に記載の事業実施の決定方法であって、前記懸賞の授与条件は、事業を実施した時点で前記懸賞を与える条件を含むことを特徴とする事業実施の決定方法。
【請求項６】
請求項１から請求項４のうちいずれか１項に記載の事業実施の決定方法であって、前記懸賞の授与条件は、前記事業の実施開始後、所定期間経過した時点（判断時）で当該事業が収益を上げているときのみ、前記懸賞を与える条件を含むことを特徴とする事業実施の決定方法。
【請求項７】
請求項６に記載の事業実施の決定方法であって、前記懸賞は、当該事業の前記判断時における収益の額に応じて決定されることを特徴とする事業実施の決定方法。
【請求項８】
請求項５から請求項７に記載の事業実施の決定方法であって、前記懸賞は、前記くじの購入者の総数に応じて決定されることを特徴とする事業実施の決定方法。
【請求項９】
請求項１から請求項８のうちいずれか１項に記載の事業実施の決定方法であって、前記くじの初期購入者数に上限を設けたことを特徴とする事業実施の決定方法。
【請求項１０】
以下のステップを有してなる事業実施のためのデータの収集方法。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
【請求項１１】
以下のステップを有してなる事業実施のためのデータの収集方法。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
【請求項１２】
請求項１０又は請求項１１に記載の事業実施のためのデータの収集方法であって、くじの購入希望を、理解度テストの解答と共に受け付けるステップが、通信ネットワークを介して行われることを特徴とする事業実施のためのデータの収集方法。
【請求項１３】
請求項１０から請求項１２のうちいずれか１項に記載の事業実施のためのデータの収集方法であって、前記懸賞の授与条件は、事業を実施した時点で前記懸賞を与える条件を含むことを特徴とする事業実施のためのデータの収集方法。
【請求項１４】
請求項１０から請求項１２のうちいずれか１項に記載の事業実施の決定方法であって、前記懸賞の授与条件は、前記事業の実施開始後、所定期間経過した時点（判断時）で当該事業が収益を上げているときのみ、前記懸賞を与える条件を含むことを特徴とする事業実施のためのデータの収集方法。
【請求項１５】
請求項１４に記載の事業実施のためのデータの収集方法であって、前記懸賞は、当該事業の前記判断時における収益の額に応じて決定されることを特徴とする事業実施のためのデータの収集方法。
【請求項１６】
請求項１３から請求項１５に記載の事業実施のためのデータの収集方法であって、前記懸賞は、前記くじの購入者の総数に応じて決定されることを特徴とする事業実施のためのデータの収集方法。
【請求項１７】
以下の手段を有してなる事業実施決定装置。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 前記くじの購入数と、前記事業計画記憶手段に記憶された事業実施決定条件に基づいて、事業の実施の可否を決定する事業実施決定手段。
【請求項１８】
以下の手段を有してなる事業実施決定装置。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
(f) 前記くじの転売価格と転売総数の少なくとも一方と、前記事業計画記憶手段に記憶された事業実施決定条件に基づいて、事業の実施の可否を決定する事業実施決定手段。
【請求項１９】
以下の手段を有してなる事業実施決定装置
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
(f) 前記くじの転売価格と転売総数の少なくとも一方と、前記くじの初期購入者の数と、前記事業計画記憶手段に記憶された事業実施決定条件に基づいて、事業の実施の可否を決定する事業実施決定手段。
【請求項２０】
請求項１７から請求項１９のうちいずれか１項に記載の事業実施決定装置であって、前記懸賞の授与条件は、事業を実施した時点で前記懸賞を与える条件を含むことを特徴とする事業実施決定装置。
【請求項２１】
請求項１７から請求項２０のうちいずれか１項に記載の事業実施決定装置であって、前記懸賞の授与条件は、前記事業の実施開始後、所定期間経過した時点（判断時）で当該事業が収益を上げているときのみ、前記懸賞を与える条件を含むことを特徴とする事業実施決定装置。
【請求項２２】
請求項２１に記載の事業実施決定装置であって、前記懸賞は、当該事業の前記判断時における収益の額に応じて決定されることを特徴とする事業実施決定装置。
【請求項２３】
請求項２０から請求項２２に記載の事業実施決定装置であって、前記懸賞は、前記くじの購入者の総数に応じて決定されることを特徴とする事業実施決定装置。
【請求項２４】
請求項１７から請求項２３のうちいずれか１項に記載の事業実施決定装置であって、前記くじの初期購入者数に上限を設けたことを特徴とする事業実施決定装置。
【請求項２５】
以下の手段を有してなる事業実施のためのデータの収集装置。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
【請求項２６】
以下の手段を有してなる事業実施のためのデータの収集装置。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
【請求項２７】
請求項２５又は請求項２６に記載の事業実施のためのデータの収集装置であって、前記懸賞の授与条件は、事業を実施した時点で前記懸賞を与える条件を含むことを特徴とする事業実施のためのデータの収集装置。
【請求項２８】
請求項２５又は請求項２６に記載の事業実施のためのデータの収集装置であって、前記懸賞の授与条件は、前記事業の実施開始後、所定期間経過した時点（判断時）で当該事業が収益を上げているときのみ、前記懸賞を与える条件を含むことを特徴とする事業実施のためのデータの収集装置。
【請求項２９】
請求項２８に記載の事業実施のためのデータの収集装置であって、前記懸賞は、当該事業の前記判断時における収益の額に応じて決定されることを特徴とする事業実施のためのデータの収集装置。
【請求項３０】
請求項２７から請求項２９に記載の事業実施のためのデータの収集装置であって、前記懸賞は、前記くじの購入者の総数に応じて決定されることを特徴とする事業実施のためのデータの収集装置。
【請求項３１】
請求項２５から請求項３０のうちいずれか１項に記載の事業実施のためのデータの収集装置であって、前記くじの初期購入者数に上限を設けたことを特徴とする事業実施のためのデータの収集装置。
【発明の詳細な説明】
【技術分野】
【０００１】
本発明は、公衆回線を使用して、広く公衆の判断を収集する手法を利用した、事業実施の決定方法、事業実施のためのデータの収集方法、事業実施決定装置、及び事業実施のためのデータの収集装置に関するものである。
【背景技術】
【０００２】
特に、ベンチャービジネス等、新しい事業を計画したとき、その事業が果たして成功するものであるのかどうかを決定することは、非常に困難を伴う作業である。従来においては、このような場合、ベンチャーキャピタル会社が独自の調査網やスペシャリストを使用して、予想される顧客の動向、収益等を予測し、その結果に基づいて投資を行うかどうかを決定していた。
【０００３】
しかしながら、いかに大ベンチャーキャピタル会社といえども、利用できる情報源は限られており、最終決定は、ある程度の勘に頼らざるを得ず、リスクを伴うものであった。このことは、対象とする事業が斬新なものであればあるほど顕著であり、情報源の制約がきつくなると言う問題が避けられなかった。
【０００４】
一方、一般社会の中には、こうした新規事業に関連する技術を持つ人間は多数いると考えられ、これらの多数の人間の考えを聞くことができれば、新規事業の成功の可否を、より高い精度で予測することが可能であると考えられる。そのためには、インターネットに代表される通信ネットワークを使用して、広く、これらの人間の意見を聴取することが有効である。
【発明の開示】
【発明が解決しようとする課題】
【０００５】
しかしながら、単なるアンケート方式を採用したのでは、無責任な解答と責任のある解答、事業に無知な者の解答と事業にある程度の知識を有する者の解答を区別することができず、その結果に信頼性が無いという問題点がある。
【０００６】
本発明はこのような事情に鑑みてなされたもので、通信ネットワークを使用して、事業化の可否に対する、信頼できる公衆の判断に関するデータを集めることを基本とした事業実施の決定方法、事業実施のためのデータの収集方法、事業実施決定装置、及び事業実施のためのデータの収集装置を提供することを課題とする。
【課題を解決するための手段】
【０００７】
前記課題を解決するための第１の手段は、以下のステップを有してなる事業実施の決定方法（請求項１）である。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの購入者の数に基づいて、前記事業を実施するか否かを決定するステップ。
(d) 前記事業を実施することを決定し、前記事業が実施された場合にのみ、前記懸賞の授与条件に従って、前記くじの購入者に前記懸賞を授与するステップ。
【０００８】
本手段においては、事業案を通信ネットワークを介して公衆に表示して、その事業内容を公表すると共に、その事業が成功したときに受け取る懸賞とその懸賞の授与条件を公示して、希望者にくじの購入を呼びかける。これにより、その事業が成功すると思った者は、そのくじを購入し、事業が実施されることになったとき、又は所定のタイミングで事業が成功して収益を上げているとき等（これらは懸賞の授与条件として明示される）に懸賞を受け取って収益を上げることができる。懸賞の授与条件が成立しなかった場合には、くじの購入者は、くじの代金だけの損失を蒙る。
【０００９】
このようにして、解答者に、利益を得る機会と損失を蒙る機会を与えて、くじの形で事業案の成功の可能性を解答させることにより、責任を持った解答を、広く公衆から募集することができる。
【００１０】
本手段における他の一つの特徴は、理解度テストを公表し、その理解度テストで所定の点数をとった者のみに、くじの購入を認めることである。これは、当該事業に対する知識を有しないものが、単なる投機の目的でくじを購入するのを防ぐためであり、このような方法をとることにより、責任を持った解答を、広く公衆から募集することができる。
【００１１】
このようにして、くじの販売実績を調べ、例えば、販売実績が良い場合には、成功の可能性が高いと見て事業化を決断する。販売実績が悪い場合には、成功の確率が低いと見て事業化を断念する。
【００１２】
前記課題を解決するための第２の手段は、以下のステップを有してなる事業実施の決定方法（請求項２）である。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
(d) 前記くじの転売価格と転売総数の少なくとも一方に基づいて、前記事業を実施するか否かを決定するステップ。
(e) 前記事業を実施することを決定し、前記事業が実施された場合にのみ、前記懸賞の授与条件に従って、前記くじの購入者に前記懸賞を授与するステップ。
【００１３】
本手段においては、前記第１の手段の（ｃ）のステップが、本手段の（ｃ）と（ｄ）のステップに置き換わっている。則ち、本手段においては、くじの転売を、通信ネットワークを通して所定回数だけ行うことを認め、その転売価格と転売総数を認知する。通信ネットワークを使用した売買は、通常の株の売買と同様の方法でも行うことができ、その他、オークション、逆オークション等のネットワークを通じて一般化されている方法で実施することができる。
【００１４】
そして、本手段においては、くじの転売価格と転売総数の少なくとも一方に基づいて、前記事業を実施するか否かを決定する。例えば、くじの転売価格が上昇すれば、事業化の成功率が高いと判断し、逆に下降すれば事業化の成功率が低いと判断する。くじの転売回数に制限を設けているのは、特にくじの販売総数を指標とする場合、ひとつのくじが際限なく転売されることにより、正確な情報がつかめなくなることを防止するためである。
【００１５】
前記課題を解決するための第３の手段は、以下のステップを有してなる事業実施の決定方法（請求項３）である。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
(d) 前記くじの転売価格と転売総数の少なくとも一方と、前記くじの初期購入者の数に基づいて、前記事業を実施するか否かを決定するステップ。
(e) 前記事業を実施することを決定し、前記事業が実施された場合にのみ、前記懸賞の授与条件に従って、前記くじの購入者に前記懸賞を授与するステップ。
【００１６】
本手段は、前記第１の手段と第２の手段の組み合わせであり、くじの転売価格と転売総数の少なくとも一方と、くじの初期購入者の数に基づいて、事業を実施するか否かを決定する。
【００１７】
前記課題を解決するための第４の手段は、前記第１の手段から第３の手段のいずれかであって、くじの購入希望を、理解度テストの解答と共に受け付けるステップが、通信ネットワークを介して行われることを特徴とするもの（請求項４）である。
【００１８】
くじの購入希望を、理解度テストの解答と共に受け付けるステップが通信ネットワークを介して行われるようにすることにより、入力が容易になると共に、早期にくじの購入希望を受け付けることが可能となる。
【００１９】
前記課題を解決するための第５の手段は、前記第１の手段から第４の手段のいずれかであって、前記懸賞の授与条件は、事業を実施した時点で前記懸賞を与える条件を含むことを特徴とするもの（請求項５）である。
【００２０】
本手段は、事業を実施した時点で懸賞を与える条件を含むものである。本手段においては、くじの購入者がいわれのない損失を蒙らないように、事業を実施するか否かの判断基準を、くじの販売時に、例えば事業案の中に含ませて、くじの購入者に周知させておく必要がある。
【００２１】
前記課題を解決するための第６の手段は、前記第１の手段から第４の手段のいずれかであって、前記懸賞の授与条件は、前記事業の実施開始後、所定期間経過した時点（判断時）で当該事業が収益を上げているときのみ、前記懸賞を与える条件を含むことを特徴とするもの（請求項６）である。
【００２２】
本手段においても、くじの購入者がいわれのない損失を蒙らないように、事業を実施するか否かの判断基準を、くじの販売時に、例えば事業案の中に含ませて、くじの購入者に周知させておく必要がある。
【００２３】
前記課題を解決するための第７の手段は、前記第６の手段であって、前記懸賞は、当該事業の前記判断時における収益の額に応じて決定されることを特徴とするもの（請求項７）である。
【００２４】
「応じて」とは、それのみによって決定されることを意味せず、それを一つの考慮要素として決定されることを意味し、このことは本欄及び特許請求の範囲において同じである。
【００２５】
前記課題を解決するための第８の手段は、前記第５の手段から第７の手段のいずれかであって、前記懸賞は、前記くじの購入者の総数に応じて決定されることを特徴とするもの（請求項８）である。
【００２６】
くじの購入者が事業主の予想を超えたような場合には、懸賞金額が大きくなって、収益を圧迫することが考えられる。本手段においては、このようなことを防ぐために、くじの購入者（＝販売数。転売による購入者は含まない）の総数によって、懸賞（例えば金額）を決定している。
【００２７】
前記課題を解決するための第９の手段は、前記第１の手段から第８の手段のいずれかであって、前記くじの初期購入者数に上限を設けたことを特徴とするもの（請求項９）である。
【００２８】
初期購入者数とは、転売による購入者数を除いた購入者数である。販売されているくじの数がむやみに多くなっても、事業化を決定するのには役立たない（所定数販売されれば、事業化可能と判断されるような場合）場合があり、このような場合には、懸賞金の額が多くなったり、くじ１本あたりの懸賞金が少なくなったりして好ましくない。よって、本手段においては、くじの初期購入者数に上限を設けて、このようなことの発生を防止している。
【００２９】
前記課題を解決するための第１０の手段は、以下のステップを有してなる事業実施のためのデータの収集方法（請求項１０）である。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
【００３０】
本手段は、前記第１の手段に使用されるものであり、データ収集を目的とした手段である。
【００３１】
前記課題を解決するための第１１の手段は、以下のステップを有してなる事業実施のためのデータの収集方法（請求項１１）である。
(a) 事業案とその事業に関する理解度テスト、及びくじを購入した者が当該事業成功時に受け取る懸賞と当該懸賞の授与条件を、通信ネットワークを介して公衆に表示し、くじの購入希望と、理解度テストの解答を受け付けるステップ。
(b) 前記理解度テストが所定の得点以上の前記くじの購入希望者に対してのみ、前記くじの購入を認めるステップ。
(c) 前記くじの転売を、通信ネットワークを通して所定回数だけ行うことを認め、その転売価格と転売総数を認知するステップ。
【００３２】
本手段は前記第２の手段、第３の手段に使用されるものであり、データ収集を目的とした手段である。
【００３３】
前記課題を解決するための第１２の手段は、前記第１０の手段又は第１１の手段であって、くじの購入希望を、理解度テストの解答と共に受け付けるステップが、通信ネットワークを介して行われることを特徴とするもの（請求項１２）である。
【００３４】
前記課題を解決するための第１３の手段は、前記第１０の手段から第１２の手段でのいずれかであって、前記懸賞の授与条件は、事業を実施した時点で前記懸賞を与える条件を含むことを特徴とするもの（請求項１３）である。
【００３５】
前記課題を解決するための第１４の手段は、前記第１０の手段から第１２の手段でのいずれかであって、前記懸賞の授与条件は、前記事業の実施開始後、所定期間経過した時点（判断時）で当該事業が収益を上げているときのみ、前記懸賞を与える条件を含むことを特徴とするもの（請求項１４）である。
【００３６】
前記課題を解決するための第１５の手段は、前記第１４の手段であって、前記懸賞は、当該事業の前記判断時における収益の額に応じて決定されることを特徴とするもの（請求項１５）である。
【００３７】
前記課題を解決するための第１６の手段は、前記第１３の手段から第１５の手段のいずれかであって、前記懸賞は、前記くじの購入者の総数に応じて決定されることを特徴とするもの（請求項１６）である。
【００３８】
前記課題を解決するための第１７の手段は、以下の手段を有してなる事業実施決定装置（請求項１７）である。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 前記くじの購入数と、前記事業計画記憶手段に記憶された事業実施決定条件に基づいて、事業の実施の可否を決定する事業実施決定手段。
【００３９】
前記課題を解決するための第１８の手段は、以下の手段を有してなる事業実施決定装置（請求項１８）である。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
(f) 前記くじの転売価格と転売総数の少なくとも一方と、前記事業計画記憶手段に記憶された事業実施決定条件に基づいて、事業の実施の可否を決定する事業実施決定手段。
【００４０】
前記課題を解決するための第１９の手段は、以下の手段を有してなる事業実施決定装置（請求項１９）である。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
(f) 前記くじの転売価格と転売総数の少なくとも一方と、前記くじの初期購入者の数と、前記事業計画記憶手段に記憶された事業実施決定条件に基づいて、事業の実施の可否を決定する事業実施決定手段。
【００４１】
前記課題を解決するための第２０の手段は、前記第１７の手段から第１９の手段のいずれかであって、前記懸賞の授与条件は、事業を実施した時点で前記懸賞を与える条件を含むことを特徴とするもの（請求項２０）である。
【００４２】
前記課題を解決するための第２１の手段は、前記第１７の手段から第１９の手段のいずれかであって、前記懸賞の授与条件は、前記事業の実施開始後、所定期間経過した時点（判断時）で当該事業が収益を上げているときのみ、前記懸賞を与える条件を含むことを特徴とするもの（請求項２１）である。
【００４３】
前記課題を解決するための第２２の手段は、前記第２１の手段であって、前記懸賞は、当該事業の前記判断時における収益の額に応じて決定されることを特徴とするもの（請求項２２）である。
【００４４】
前記課題を解決するための第２３の手段は、前記第２０の手段から第２２の手段のいずれかであって、前記懸賞は、前記くじの購入者の総数に応じて決定されることを特徴とするもの（請求項２３）である。
【００４５】
前記課題を解決するための第２４の手段は、前記第１７の手段から第２３の手段のいずれかであって、前記くじの初期購入者数に上限を設けたことを特徴とするもの（請求項２４）である。
【００４６】
前記課題を解決するための第２５の手段は、以下の手段を有してなる事業実施のためのデータの収集装置（請求項２５）である。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
【００４７】
前記課題を解決するための第２６の手段は、以下の手段を有してなる事業実施のためのデータの収集装置（請求項２６）である。
(a) 事業案とその事業に関する理解度テスト、及びくじを購入した者が当該事業成功時に受け取る懸賞と当該懸賞の授与条件、前記理解度テストの合格条件、事業実施決定条件を記憶する事業計画記憶手段。
(b) 前記事業計画記憶手段が記憶する事業案とその事業に関する理解度テスト、及びくじを購入した者が当該事業成功時に受け取る懸賞と当該懸賞の授与条件を、通信ネットワークを介して、公衆が所有する通信ネットワーク端末に配信する配信手段。
(c) 公衆が所有する通信ネットワーク端末から入力された、前記理解度テストの解答と、前記くじの購入希望を通信ネットワークを介して受信する受信手段。
(d) 受信した前記理解度テストの解答を、前記事業計画記憶手段に記憶された前記理解度テストの合格条件によって判定し、合格と判定された場合に、前記くじの購入を認め、入力された端末に、くじの購入を認めることを通知するくじ購入決定手段。
(e) 公衆が所有する通信ネットワーク端末から入力された前記くじの転売希望と転得希望を通信ネットワークを介して受信し、転売回数が所定回数以下のものについて、転売希望価格と転得希望価格が一致した場合に、転売を認めて、通信ネットワークを介して転売希望者と転得希望者に転売の成立を認める情報を配信すると共に、当該くじの転売回数を更新し、転売価格を記憶し、くじ全体の転売回数を記憶する転売制御手段。
【００４８】
前記課題を解決するための第２７の手段は、前記第２５の手段又は第２６の手段であって、前記懸賞の授与条件は、事業を実施した時点で前記懸賞を与える条件を含むことを特徴とするもの（請求項２７）である。
【００４９】
前記課題を解決するための第２８の手段は、前記第２５の手段又は第２６の手段であって、前記懸賞の授与条件は、前記事業の実施開始後、所定期間経過した時点（判断時）で当該事業が収益を上げているときのみ、前記懸賞を与える条件を含むことを特徴とするもの（請求項２８）である。
【００５０】
前記課題を解決するための第２９の手段は、前記第２８の手段であって、前記懸賞は、当該事業の前記判断時における収益の額に応じて決定されることを特徴とするもの（請求項２７）である。
【００５１】
前記課題を解決するための第３０の手段は、第２７の手段から第２９の手段のいずれかであって、前記懸賞は、前記くじの購入者の総数に応じて決定されることを特徴とするもの（請求項２０）である。
【００５２】
前記課題を解決するための第３１の手段は、第２５の手段から第３０の手段のいずれかであって、前記くじの初期購入者数に上限を設けたことを特徴とするもの（請求項３１）である。
【発明の効果】
【００５３】
本発明によれば、通信ネットワークを使用して、事業化の可否に対する、信頼できる公衆の判断に関するデータを集めることを基本とした事業実施の決定方法、事業実施のためのデータの収集方法、事業実施決定装置、及び事業実施のためのデータの収集装置を提供することができる。
【発明を実施するための最良の形態】
【００５４】
以下、本発明の実施の形態の例を、図を用いて説明する。図１は、本発明の実施の形態の第１の例である事業実施決定装置の構成を示すブロック図である。サーバからなる事業実施決定装置１の中には、プログラムとファイルの形で、事業計画記憶手段２、くじ購入決定手段３、事業実施決定手段４が設けられ、さらに外部の通信ネットワーク７とのデータの授受を行う配信手段５、受信手段６が設けられている。通信ネットワーク７はインターネット等の汎用通信ネットワークであり、一般公衆が所有する汎用端末（パソコン等）８が接続されている。
【００５５】
事業計画記憶手段２中には、事業計画案（目論見書等）と、その事業に関連する理解度をテストするための理解度テスト、及びくじを購入した者が当該事業が成功したときに受け取る懸賞の内容とその懸賞の授与条件、理解度テストの合格条件、事業の実施決定条件、くじの販売期間がファイルの形で格納されている。
【００５６】
配信手段５は、これらの条件を、例えばホームページとして通信ネットワーク７に配信する。配信されたデータは、このホームページ等に汎用端末８を使用してアクセスした者に表示されるが、その内容の例を図２に示す。
【００５７】
「事業案の紹介」には、その事業計画案（目論見書等）の内容が表示される。「事業成功」の定義の紹介には、事業の実施決定条件と、何をもって事業成功とするかの定義が表示される。このうち、事業実施決定条件は、必ず、くじの販売状況をその条件の一つとして含むものとされている。又、「事業成功」とは、通常、事業の実施してから所定時間経過後の事業実績（収益を上げていること、その度合い等）を基に定義されるが、事業の実施化決定をもって事業の成功と定義することもできる。
【００５８】
『懸賞くじ（金額）と「懸賞」の紹介』には、くじ１本当たりの購入金額と、事業が成功したときに受け取るべき懸賞の内容、及び懸賞の授与条件、くじの販売期間、くじを１人何本まで買えるかが記載されている。このうち、懸賞の授与条件は、先に定義された「事業成功」のときとするのが一般的である。事業が成功したときに受け取るべき懸賞の内容は、一定の金額としてもよいし、「事業成功」が、事業を実施してから所定時間経過後の事業実績を基に定義される場合には、そのときの事業実績に連動させるようにしてもよく、さらに、そのときの事業実績とくじの販売本数とに連動させるようにしてもよい。
【００５９】
「理解度テストを開くボタン」にカーソルを会わせてクリックすると、理解度テストの画面が表示される。この画面の例を図３に示す。この例においては、理解度テストの画面に、理解度テストの解答を入力すると共に、くじの注文も同じ画面から行えるようになっているが、理解度テストの入力後、別の画面を表示してそこからくじの注文を行うようにしてもよい。これらの表示、送受信の制御は、公知の手法を使用し、事業計画記憶手段２、配信手段５、受信手段６を協働させるように制御することで実現できる。又、図３においては、理解度テストを簡単なものとし、かつ、問題数も少なくしているが、実際には、事業の内容を理解している者を選別できるような専門的な問題とし、問題数も多くすることが好ましい。
【００６０】
理解度テストの画面に入力し、ＯＫボタンをクリックすると、理解度テストの解答と注文内容が、通信ネットワーク７を介して受信手段６で受信され、くじ購入決定手段３に送られる。
【００６１】
くじ購入決定手段３は、事業計画記憶手段２に記憶された理解度テストの合格条件と受信した理解度テストの解答を比較し、受信した理解度テストの解答が合格条件にかなっている場合に、くじの購入を認め、配信手段５と通信ネットワーク７を介して、理解度テストの解答者兼くじの注文者に、くじの購入を認めることを通知する。
【００６２】
くじ購入代金の決済は、決済システム（図示せず）によって、理解度テストの解答と共に入力されたクレジットカードから引き落とされる。しかし、この購入代金の決済方法については、本発明と直接の関係が無いので、銀行振り込み等、他の方法によることもできる。
【００６３】
理解度テストの解答者兼くじの注文者に、理解度テストの解答が合格条件にかなわなかった場合には、くじの購入を認めないことを通知する。何れの場合も、再注文を防ぐために、注文者を特定する情報を記憶し、再注文があった場合には受け付けないようにする。ただし、理解度テストの合格者の場合、くじの注文本数が規定本数に達するまでは、再注文を認めるようにしてもよい。
【００６４】
このようにして、事業計画記憶手段２中に記憶されたくじの販売期間が経過すると、事業実施決定手段４が、事業計画記憶手段２中に記憶された事業の実施決定条件に従って、事業を実施するかどうかを決定する。
【００６５】
事業実施決定条件は、前述のように、くじの販売状況をその条件の一つとして含んでいる。最も簡単な判断基準は、くじが所定数以上販売されたら事業を実施し、所定数以上販売されなかったら事業化を断念するというものである。この場合は、販売期間の途中でも事業を実施するという決定を行うことができるので、くじの販売条件の中にその旨を盛り込んで表示し、くじが所定数以上販売されたらそれ以上の注文を受け付けないことにして、くじの販売総数が不必要に多くなるのを防止することができる。
【００６６】
その他、１日ごとのくじの販売本数、又はその所定日数に亘る移動平均が単調増加していることを、事業化決定の判断基準としてもよいし、この条件とくじの総販売本数を適当に組み合わせて、事業化決定の判断基準としてもよい。
【００６７】
第１の実施の形態である事業実施決定装置は、以上のようにして事業化の可否を決定する。事業化の可否が決定されると、その旨とその理由がくじの購入者に通知され、場合によっては一般大衆にも公示される。事業化がなされた場合には、その後、「事業成功」の定義に従って事業成功かどうかの判断がなされ、懸賞の授与条件に従って、くじを購入した者が懸賞を受け取ることになるが、その方法等については、本実施の形態の範囲外であり、任意の方法を採用できる。
【００６８】
図４は、本発明の実施の形態の第２の例である事業実施決定装置の構成を示すブロック図である。図４に示す実施の形態は、第１の実施の形態に比べて、事業実施決定装置がプログラムとファイルで構成される転売制御手段９を有するところのみが異なっており、他の構成と、その作用は図１に示したものと同じであるので、これら図１に示された部分については説明を省略し、図１に示された第１の実施の形態と異なるところのみを以下に説明する。
【００６９】
事業化の成功率が高いと考えるけれども、理解度テストの内容が分からなかったり、理解度テストに不合格となったりした者が、それにもかかわらず投資の目的でこれらのくじを購入したいと考える場合がある。又、１人当たりのくじの初期購入本数の上限が決められているので、くじを購入できた者でも、さらに多数の本数のくじを購入したいと考える場合がある。これとは逆に、くじを購入したが、その後事業の成功に疑問を抱いたり、その他の理由でくじを転売したいと考える者がいる場合がある。
【００７０】
このような事情により、くじの転売を認めると、その転売実績の推移が、事業化決定のための判断要素として使用可能となる。第２の実施の形態は、このような事情を考慮して、所定回数のくじの転売を認めるようにしたものである。ただし、転売回数は１回に限ることが望ましい。これは、いわゆるバブル状態が発生するのを防止するためである。
【００７１】
転売制御手段９は、汎用端末８から入力されたくじの転売希望と転得希望を通信ネットワーク７と受信手段６を介して受け付ける。この受付は、第１の実施の形態の説明において説明したくじの注文（初期購入注文）と並行して行われる。
【００７２】
くじの転売回数が制限されているため、くじの転売希望者は、転売しようとするくじを特定して転売希望を出す必要があり、転売制御手段９は、くじの転売回数が制限を超えている場合は、転売希望を受け付けないように制御する機能を有するが、転売制御手段９のその他の機能は、通常の株式市場のシステムをそのまま応用することができる。
【００７３】
則ち、指し値売り、指し値買い、成り行き売り、成り行き買いの注文を受け付け、株式売買のシステムと同様の方法で売買を成立させつつ、成り行きの売買価格を決定して行く。
【００７４】
売買の出来高と高値、安値、現状価格等は、通常の株式市場情報と同じように、転売制御手段９から配信手段５、通信ネットワーク７を介して汎用端末８に表示される。このような転売方法以外にも、オークション形式、逆オークション形式の転売方法を採用することもできる。
【００７５】
転売制御手段９は、当該くじの転売回数を更新し、転売価格を記憶し、くじ全体の転売回数を記憶する
このように、転売を認める場合には、事業実施決定条件の要素として、くじの転売状況を取り込むことができる。例えば、くじの転売価格、又はその所定日数間の移動平均が単調増加傾向にあれば、事業化を行うことにしてもよく、事業化決定日におけるくじの転売価格が、初期販売価格を超えていれば事業化を行うようにしてもよい。又、くじの転売総数が所定以上に達した場合には、事業化を行うようにしてもよい。さらには、これらの条件と、くじの初期販売本数、１日ごとのくじの初期販売本数、又はその所定日数に亘る移動平均とを適当に組み合わせて判断の条件としてもよい。
【００７６】
事業化がなされた場合には、その後、「事業成功」の定義に従って事業成功かどうかの判断がなされ、懸賞の授与条件に従って、くじを購入した者が懸賞を受け取ることになるが、その方法等については、本実施の形態の範囲外であり、任意の方法を採用できる。くじの転売は、くじの販売期間の終了後も一定期間行えるようにしてもよいが、これは、本発明と直接関係のない事項である。
【００７７】
以上の実施の形態は、本発明のうち事業実施決定装置に関するものであったが、本発明のうち、事業実施のためのデータの収集装置の実施の形態は、これら図１、図４に示す事業実施決定装置の実施の形態から、事業実施決定手段４を取り除いたものとして実現することができる。
【００７８】
則ち、例えば、図１から、事業実施決定手段４を取り除いたものを使用すれば、図１の説明において説明したような方法を使用して、くじの販売状況のデータを収集することができる。よって、事業実施のためのデータの収集装置で収集されたくじの販売状況を使用して、人間が複雑な思考により、事業化を推進するかどうかを判断することが可能である。もちろん、事業化を推進するかどうかの決定条件は、予め決定してくじの購入者に知らせておくことが好ましいが、その条件として、例えば、くじの販売状況を勘案して、中立な専門家による決定機関が事業化をするかどうかを決定するというような条件を採用することができる。同様のことは、図４から事業実施決定手段４を取り除いたものを使用しても行うことができ、この場合は、転売数や転売価格推移もデータとして把握できるので、それらを意志決定に使用することができる。
【００７９】
又、上記に加え、くじ購入決定手段３の作用から、理解度テストの合否判定機能を除外し、これを人間が行うようにしてもよい。このようにすると、例えば、理解度テストの解答を、ＰＤＦファイルや文書ファイルとして受信することができ、理解度テストの問題を複雑にして、それを図形を使ったり、論文形式とした解答として受け取ることができ、その解答を人間が採点して合否を判定し、それをくじ購入決定手段３に入力することにより、くじの購入を認めたり認めなかったりすることができる。
【００８０】
さらには、くじの購入希望と理解度テストの解答を、通信ネットワーク７を介することなく、郵送やＦＡＸ等を利用して受け付けるようにしてもよい。この場合も、人間が理解度テストの合否を判定し、合格の場合のみ、くじ購入決定手段３に、注文されたくじの注文情報を入力するようにする。
【図面の簡単な説明】
【００８１】
【図１】本発明の実施の形態の第１の例である事業実施決定装置の構成を示すブロック図である。
【図２】くじの募集条件として汎用端末に表示される画面の例を示す図である。
【図３】理解度テストとして汎用端末に表示される例を示す図である。
【図４】本発明の実施の形態の第２の例である事業実施決定装置の構成を示すブロック図である。
【符号の説明】
【００８２】
１…事業実施決定装置、２…事業計画記憶手段、３…くじ購入決定手段、４…事業実施決定手段、５…配信手段、６…受信手段、７…通信ネットワーク、８…汎用端末、９…転売制御手段
【図１】
2006127340.tif 000003
【図２】
2006127340.tif 000004
【図３】
2006127340.tif 000005
【図４】
2006127340.tif 000006